(57)【要約】【課題】  娯楽性を向上させ、楽しんでホームページを閲覧してもらうことを可能とした、Ｗｅｂ情報提供システムを提供する。【解決手段】  参照ページ検出部１が参照したページの識別情報を検出し、ページ参照履歴検出部３が、そのページの識別情報に基づいて通過ポイントとなるページの条件を満たしたか否かを判断し、抽選処理部５が、条件を満たしたときに抽選処理を実行することで、特定のページを参照した場合に特典を付与する。【選択図】      図１
2006285298.tif 000002
【特許請求の範囲】
【請求項１】
ホームページを構成する最終ページに特典を抽選するページＵＲＬが記述され、あらかじめ識別情報が付与されたそれぞれのページを閲覧のために提供するＷｅｂページ提供システムであって、
参照したページの識別情報を検出する参照ページ検出部と、
前記検出されたページの識別情報を保存する参照ページ記憶部と、
前記保存されたページの識別情報に基づいて、通過ポイントとなるページの条件を満たしたか否かを判断するページ参照履歴検出部と、
前記条件を満たしたときに抽選処理を実行する抽選処理部と、
を有することを特徴とするＷｅｂ情報提供システム。
【請求項２】
前記通過ポイントとなるページの識別情報を記憶する条件記憶部を更に備え、前記ページ参照履歴検出部は、前記条件記憶部に記憶された識別情報と前記参照したページの識別情報とを比較して前記抽選処理部を制御することを特徴とする請求項１に記載のＷｅｂ情報提供システム。
【請求項３】
前記ページ参照履歴検出部は、
前記ページ内に設定された参照すべきページに関する情報と、前記参照したページの識別情報を比較し、前記Ｗｅｂページの識別情報か否かを判断して前記抽選処理部を制御することを特徴とする請求項１に記載のＷｅｂ情報提供システム。
【請求項４】
ホームページを構成する最終ページに特典を抽選するページＵＲＬが記述され、あらかじめ識別情報が付与されたそれぞれのページを閲覧のために提供するＷｅｂページ提供システムにおける特典付与方法であって、
参照したページの識別情報を検出するステップと、
前記検出されたページの識別情報を記憶装置に保存するステップと、
前記保存されたページの識別情報に基づいて、通過ポイントとなるページの条件を満たしたか否かを判断するステップと、
前記条件を満たしたときに抽選処理を実行するステップと、
を有することを特徴とするＷｅｂ情報提供システムにおける特典付与方法。
【請求項５】
ホームページを構成する最終ページに特典を抽選するページＵＲＬが記述され、あらかじめ識別情報が付与されたそれぞれのページを閲覧のために提供するＷｅｂページ提供システムに用いられるコンピュータプログラムであって、
参照したページの識別情報を検出する処理と、
前記検出されたページの識別情報を記憶装置に保存する処理と、
前記保存されたページの識別情報に基づいて、通過ポイントとなるページの条件を満たしたか否かを判断する処理と、
前記条件を満たしたときに抽選処理を実行する処理と、
をコンピュータに実行させるコンピュータプログラム。
【請求項６】
ホームページを構成する最終ページに特典を抽選するページＵＲＬが記述され、あらかじめ識別情報が付与されたそれぞれのページを閲覧のために提供するＷｅｂページ提供システムに用いられるコンピュータプログラムを記録したコンピュータ読み取り可能な記録媒体であって、
参照したページの識別情報を検出する処理と、
前記検出されたページの識別情報を記憶装置に保存する処理と、
前記保存されたページの識別情報に基づいて、通過ポイントとなるページの条件を満たしたか否かを判断する処理と、
前記条件を満たしたときに抽選処理を実行する処理と、
をコンピュータに実行させるコンピュータプログラムを記録した記録媒体。
【発明の詳細な説明】
【技術分野】
【０００１】
本発明は、Ｗｅｂ情報提供システム、および同システムにおける特典付与方法、ならびにプログラム、記録媒体に関する。
【背景技術】
【０００２】
インターネットの普及に伴いネットショッピングが活況をみせている。この場合、販売側は、ユーザにこまめにホームページを見てもらった方が販売機会を増やせるため、閲覧回数やトップページのみならず、深い階層のページも閲覧してもらえた方が好ましい。ＢＴＯ（Build To Order）など、インターネット上で仕様を指定してもらって注文販売する場合には特に要求される。
【０００３】
ところで、従来、参加するユーザを確実に運用者のホームページに導くとともに、当該ホームページを構成する他のホームページをも閲覧させるために、各ページに検索対象（目印）を付与し、その目印を発見した閲覧者に対して特典を付与するホームページのアクセス促進方法が知られている（例えば、特許文献１参照）。
【特許文献１】特開２００２−９２４５３号公報
【発明の開示】
【発明が解決しようとする課題】
【０００４】
インターネット販売を行う場合、トップページ以外にも製品に関する説明や販売に関する様々な情報があるため、サイト内の様々なＷｅｂ（World Wide Web）ページにアクセスしてもらうことが望ましい。上記した特許文献１に開示された技術によれば、ホームページを構成する他のページをも閲覧させるように導くことはできるが面白みに欠ける。娯楽性を向上させ、もっと楽しんでもらいながらページを閲覧してもらえることが望ましい。
【０００５】
本発明は上記事情に基づいてなされたものであり、娯楽性を向上させ、楽しんでホームページを閲覧してもらうことを可能とした、Ｗｅｂ情報提供システム、および同システムにおける特典付与方法、ならびにコンピュータプログラム、記録媒体を提供することを目的とする。
【課題を解決するための手段】
【０００６】
上記した課題を解決するために本発明は、ホームページを構成する最終ページに特典を抽選するページＵＲＬが記述され、あらかじめ識別情報が付与されたそれぞれのページを閲覧のために提供するＷｅｂページ提供システムであって、参照したページの識別情報を検出する参照ページ検出部と、前記検出されたページの識別情報を保存する参照ページ記憶部と、前記保存されたページの識別情報に基づいて、通過ポイントとなるページの条件を満たしたか否かを判断するページ参照履歴検出部と、前記条件を満たしたときに抽選処理を実行する抽選処理部と、を有することを特徴とする。
【０００７】
また、本発明において、前記通過ポイントとなるページの識別情報を記憶する条件記憶部を更に備え、前記ページ参照履歴検出部は、前記条件記憶部に記憶された識別情報と前記参照したページの識別情報とを比較して前記抽選処理部を制御することを特徴とする。
【０００８】
また、本発明において、前記ページ参照履歴検出部は、前記ページ内に設定された参照すべきページに関する情報と、前記参照したページの識別情報を比較し、前記Ｗｅｂページの識別情報か否かを判断して前記抽選処理部を制御することを特徴とする。
【０００９】
また、本発明は、ホームページを構成する最終ページに特典を抽選するページＵＲＬが記述され、あらかじめ識別情報が付与されたそれぞれのページを閲覧のために提供するＷｅｂページ提供システムにおける特典付与方法であって、参照したページの識別情報を検出するステップと、前記検出されたページの識別情報を記憶装置に保存するステップと、前記保存されたページの識別情報に基づいて、通過ポイントとなるページの条件を満たしたか否かを判断するステップと、前記条件を満たしたときに抽選処理を実行するステップと、を有することを特徴とする。
【００１０】
また、本発明は、ホームページを構成する最終ページに特典を抽選するページＵＲＬが記述され、あらかじめ識別情報が付与されたそれぞれのページを閲覧のために提供するＷｅｂページ提供システムに用いられるコンピュータプログラムであって、参照したページの識別情報を検出する処理と、前記検出されたページの識別情報を記憶装置に保存する処理と、前記保存されたページの識別情報に基づいて、通過ポイントとなるページの条件を満たしたか否かを判断する処理と、前記条件を満たしたときに抽選処理を実行する処理と、をコンピュータに実行させることを特徴とする。
【００１１】
また、本発明は、ホームページを構成する最終ページに特典を抽選するページＵＲＬが記述され、あらかじめ識別情報が付与されたそれぞれのページを閲覧のために提供するＷｅｂページ提供システムに用いられるコンピュータプログラムを記録したコンピュータ読み取り可能な記録媒体であって、参照したページの識別情報を検出する処理と、前記検出されたページの識別情報を記憶装置に保存する処理と、前記保存されたページの識別情報に基づいて、通過ポイントとなるページの条件を満たしたか否かを判断する処理と、前記条件を満たしたときに抽選処理を実行する処理と、をコンピュータに実行させるコンピュータプログラムを記録したことを特徴とする。
【００１２】
本発明によれば、参照したページの識別情報を検出し、そのページの識別情報に基づいて通過ポイントとなるページの条件を満たしたか否かを判断して条件を満たしたときに抽選処理を実行することで、特定のページを参照した場合特典が付与されるため、楽しんでもらいながらページを閲覧してもらうことが可能になる。
【発明を実施するための最良の形態】
【００１３】
図１は、本発明実施形態にかかわるＷｅｂ情報提供システムの内部構成を示すブロック図である。
本発明実施形態にかかわるＷｅｂ情報提供システムは、参照ページ検出部１と、参照ページ記憶部２と、ページ参照履歴検出部３と、条件記憶部４と、抽選処理部５で構成される。
【００１４】
参照ページ検出部１は、参照したページの識別情報（以下、単にＩＤという）を検出して参照ページ記憶部２に保存する。参照ページ記憶部２は、参照ページ検出部１により提供される参照ページのＩＤを保存する。
ページ参照履歴検出部３は、参照ページ記憶部２に保存された参照ページのＩＤに基づいて、通過ポイントとなるページの条件を満たしたか否かを判断し、抽選処理部５を制御する。抽選処理部５は、条件を満たしたときに抽選処理を実行する。
【００１５】
なお、条件記憶部４は、通過ポイントとなるページのＩＤを記憶しており、ページ参照履歴検出部３は、条件記憶部４に記憶されたＩＤと参照したページのＩＤとを比較して抽選処理部５を制御する（実施形態１）。
あるいは、ページ参照履歴検出部３は、ページ内に設定された参照すべきページに関する情報と、参照したページのＩＤとを比較し、参照すべきページのＩＤか否かを判断して抽選処理部５を制御する（実施形態２）。
【００１６】
なお、上記した本発明実施形態にかかわるＷｅｂ情報提供システムの構成は、ポイント管理の処理主体がいずれにあるかによって、ユーザ端末、サーバのいずれに実装されても良い。
以下に示す本発明実施形態では、ユーザ端末にポイント管理の処理主体があるものとして説明を行う。
【００１７】
本発明実施形態では、ホームページを参照してもらう際、開始ページと最終ページがあって、その途中に複数の中間ホームページを設ける。
最終ページには、特典を抽選するためのページのＵＲＬ（Uniform Resource Locator）が表示される。このＵＲＬにアクセスされると、その抽選ページにおいて抽選が行われ、抽選結果が表示される。
この抽選ページのＵＲＬは、画像のイメージにして出力する。このことにより、ロボットによる巡回を防止し、実際に閲覧してくれたユーザを抽選の対象とすることができる。すなわち、自動で巡回される場合には、抽選できないようにしている。
【００１８】
ここで、中間のどのホームページを参照してもらうかについて、途中経路をあらかじめ示す場合と、途中経路を示さない場合の２通りが存在する。ここでは、前者をパターン１とし、後者をパターン２としもそれぞれについて説明する。
まず、途中経路を予め示す場合（パターン１）の動作について説明する。図２にその処理手順がフローチャートで示されている。以下、図２に示すフローチャートを参照しながら説明する。
ここでは、オリエンテーリングの通過チェックポイントとなる特定ページ（途中経路となるページ）をオリエンテーリングの開始ページにおいて予め全てユーザに示しておき、その全ての特定ページを参照してもらった場合に、特典を付与することとする。
【００１９】
まず、ユーザに閲覧を開始する前に、コースを選んでもらう（Ｓ２１）。例えば、簡単コース（抽選の際、当選確率が低いが通過ポイントとなるページが少ない）と、難関コース（抽選時の当選確率が高いが、通過ポイントとなるページも多い）等が選択肢として考えられる。ルート毎に設定される通過ポイントのページ数、当選確率、特典は、例えば、図６に示すようにルートＤＢ上に設定されるものとする。
ここで、一方が選択されると、ページを辿るルートが決定され（Ｓ２２）、決定されたルートに応じてオリエンテーションを進めるための条件が、例えば、図７（ａ）に示すようなスタートページとして表示され。そして、リンクボタンをクリックする毎にページが表示され参照される（Ｓ２３）。ホームページ内のページは多数あって、その中のページをどのようにしてリンクしていけば良いかは、実際にクリックしてみないとわからないが、どこかに必ず特定ページがある。この特定ページを探してもらいながら、ページを閲覧してもらう。例えば、図４に示されるように、特定ページにはマーク（ここでは、旗）がページ内に表示されているため、ユーザはそのマークを探しながら、リンクボタンクリックする。
【００２０】
図４に示されるように、ユーザの表示画面に２つのウインドウを表示させておき、一方に進捗管理画面（ここでは、オリエンテーリング経過情報）を表示させる。ここには、通過ポイントとなるページを通ったか否かを示す進捗状況が表示される。
この表示は、ページ参照履歴検出部３が、条件記憶部４に記憶されたページＩＤと参照ページ検出部１において検出され、参照ページ記憶部４に都度記憶された参照履歴（参照したページのＩＤ）とを比較することで、特定ページを通過したか否かを表示することができる（Ｓ２４）。
【００２１】
一方、他方のページにはＷｅｂページ（ここでは、商品Ａについて）が表示される。ユーザには、そのページの中にある複数のリンクボタンのうち、通過ポイントとなるページに到達できそうなボタンを考えながらクリックしてもらう。到達できたときに、旗が付いているＷｅｂページが表示される。
ページ参照履歴検出部３で特定ページの通過が検出されたときに、ＵＲＬが記述された抽選ページが表示され（Ｓ２５）、ユーザがそのＵＲＬをクリックすることにより、抽選処理が実行される（Ｓ２６）。
【００２２】
上記した実施形態（パターン１）は、参照してほしい対象ページが多い場合等、最終ページに到達するまでに時間を要する場合に、ユーザの都合に合わせて参加してもらう場合に使用することができる。結果として、通過ポイントとなるページを楽しみながら探してもらうことができ、娯楽性が向上し、また、サイトの構造（階層構造）などを理解してもらうことができる。
なお、途中経路となるページは、対象の各ページを全部参照できれば、どの順序で到達しても良いが、順序を決めても良い。
【００２３】
次に、途中経路を示さない場合（パターン２）の動作について説明する。
オリエンテーリングの通過ポイントとなるページに辿りつかないと、次にどのページを参照すればよいかについての指示が表示されないため、途中経路（通過ポイントとなるページが何であるかの全体について）は、ユーザは不明である。ここでは、ページを閲覧させることが基本であるため、次のページへの指示（例えば、次は、商品Ａの仕様紹介のページを見つけてください、などのコメント）は、ページ最下部に設定しておくこととする。
【００２４】
ここでは、図５にその一例が示されるように、次のページへの指示は、コメントではなく、リンク先が設定された「次へ」ボタンとして、表示させておき、クリックされたら、次のページに移動するようにしてもよい。ここで、「次へ」ボタンで移動した先のページにも「次へ」ボタンを設定して、順次必要ページを順次参照させることも可能である。
また、「次へ」ボタンは、１ページに１つ設けておいても良いが、複数設けておき、各「次へ」ボタンに別々のリンク先のページを設定しておき、クリックされるボタンに応じてルートが分岐されるようにし、その分岐されたルートに応じて最終ページを設けておき、その最終ページに応じて商品や当選確率を別々に設定しておくことも可能である。
【００２５】
また、「次へ」のボタン１つだけ準備しておき、クリックされた時点で、リンク先となるページをランダムに変更し、ルートを分岐してもよい。分岐された先も何らかのゴールページがあってもよく、行き止まりになっていて、引き返してもらいながら、ゴールページを探してもらうようにしてもよい。
【００２６】
図３にその処理手順がフローチャートで示されている。以下、図３に示すフローチャートを参照しながら説明する。
まず、パターン１同様、ユーザにコースを選んでもらう（Ｓ３１）。次に、選択されたコースに応じたスタートページが表示された後（例えば、図７（ｂ））、ユーザが次へボタンをクリックされた場合、このクリックを検出した参照ページ検出部１は（Ｓ３２）、その参照ページのＩＤを取得して参照ページ記憶部２に記憶する。同時に該当ページが表示される（Ｓ３３）。このとき、ページ参照履歴検出部３は、ページ内に設定された参照すべきページに関する情報と、参照したページのＩＤとを比較し、最終ページのＩＤか否かを検出する（Ｓ３４）。
【００２７】
ページ参照履歴検出部３で特定ページの通過が検出されたときに、ＵＲＬが記述された抽選ページが表示され（Ｓ３５）、ユーザがそのＵＲＬをクリックすることにより、抽選処理が実行される（Ｓ３６）。
上記したパターン２に示す実施形態は、短時間で対象ページを閲覧させたい場に有効である。また、見て欲しいページをストーリ的（順序だてて）に参照してもらうことができる。
【００２８】
ここで、通過ポイントとなるページの検出について補足説明を行う。参照したＷｅｂページの履歴を検出する方法として、ページ毎にページＩＤを設定しておき、そのページＩＤの履歴が正しいか否かを検出する。その処理をどこで行うかによって、以下の３つがある。
ここで、通過ポイントとなるページの検出について補足説明を行う。参照したＷｅｂページの履歴を検出する方法として、ページ毎にページＩＤを設定しておき、そのページＩＤの履歴が正しいか否かを検出する。その処理をどこで行うかによって、以下に列挙する（１）〜（３）の３通りある。
【００２９】
（１）ユーザ端末に特典管理の処理主体がある場合はクッキーを利用するものとする。具体的に、クッキーに値（ページＩＤに相当）を設定しておき、そのクッキーを利用してユーザ端末内でアクセスしたページの履歴を残しておき、そのクッキーの値を集計して参照すべき全ページのＩＤと一致するか否か検出し、決められた特定ページを全て表示させた場合に抽選を実行する。
一方、サーバにポイント管理の処理主体がある場合は、（２）サーバがユーザ端末とのセッションの状態を管理して、セッションが設定されている間に参照されたホームページの履歴に基づいて、参照されたページＩＤと一定条件（参照すべき全ページ）と一致するか否かを検出し、一致した場合に抽選をする。あるいは、（３）ユーザにログインさせて、ログイン後に参照されたページＩＤの履歴から上記一定条件を満たすか否かの検出を行い、条件を満たす場合に抽選を実行する。ここでは、（１）に示す方法を採用した。
なお、オリエンテーリングの通過ポイントとなるページには、異業種間のページを対象としてもよい。（ＰＣのページ→プリンタのページ→プロジェクタのページ→最終ページなど）
【００３０】
なお、特典は、期間毎、キャンペーン毎にいろいろ変えることとする。特典は、顧客が法人か個人かなどのユーザ特性に応じて変えるようにしてもよい。
特典の一例としては、「○○円引きのクーポン」、「オプション品のプレゼント」または、特典のグッズとする。クーポンは、一定期間なら何度買っても一定の割引をするように繰り返し利用させることも可能である（法人のリピータなど向け）。また、個人向けには、１回のみ使用可能なクーポンであってもよい。クーポンやオプション品等プレゼントである場合には、購入意識があるユーザを購入行動に誘導することが可能である。特典グッズを与える場合には、購入意識はないが、今後購入してもらえるように誘導することが可能である。
商戦時期には、特典をオープン懸賞にしてもよい。この場合、商品を買っていない人にも特典を与え、とにかくページを閲覧してもらう。
【００３１】
ここで、ユーザ属性を識別するためには、ログインのＩＤを用いて識別する方法や、ホームページ訪問のページボタン「法人向け」「個人向け」を用いて識別する方法がある。法人向けであれば、一定期間内なら何度も使えるクーポンを特典として付与する。また、個人向けであれば、１回限りのクーポンまたはオープン懸賞とする。１回限りの場合は、当選イメージ画面のクーポンの部分に「コード」を表示させておき、そのコードを利用して、クーポンの内容の特典をあたえ、一度使用したらその後は無効（ワンタイム）にする。
購入直前のページで抽選する場合には、当選特典は割引券にする。トップページ側に近いページにて抽選する場合にはオープン懸賞にする等考えられる。
【００３２】
なお、当選結果は、すぐに表示しても良いが、特典として何が当たるかは発表せず、何かが当たることだけを表示しておき、当選した場合に特典の送付をもって当選発表に代えるようにしてもよい。このことにより、特典内容をこまめに入れ替える手間を省くことが可能となる。すなわち、ホームページのメンテナンスの手間が省ける。
【００３３】
図８は、本発明の他の実施形態におけるＷｅｂ情報提供システムの内部構成を示すブロック図である。
Ｗｅｂ情報提供システムは、図８示されるように、ＣＰＵ（中央処理装置）と、ＲＡＭ（Random Access Memory）とＲＯＭ（Read Only Memory）、ハードディスク装置などの記憶装置から構成される記憶部２１０と、キーボードやマウスなどの入力装置２２０と、液晶表示装置などの出力装置２３０と、ネットワークを介して各種装置と通信を行う通信インタフェース２４０とがバス２５０を介して接続される。
【００３４】
ここで、図１における参照ページ検出部１と、ページ参照履歴検出部３と、抽選処理部５を実現するためのプログラム（例えば、アプリケーションプログラム）を記憶部２１０に記憶しておき、このプログラムをＣＰＵ２００が読み出して実行することにより、これら各機能を実現させるものであっても良い。
【００３５】
また、このプログラムをコンピュータ読み取り可能な記録媒体に記録して、この記録媒体に記録されたプログラムをコンピュータに読みこませて実行することにより、これら各機能を実現するようにしても良い。
なお、「コンピュータ読み取り可能な記録媒体」とは、フレキシブルディスク、光磁気ディスク、ＲＯＭ、ＣＤ−ＲＯＭ等の可搬記録媒体、コンピュータシステムに内蔵されるハードディスク等の記憶装置をいう。さらに、「コンピュータ読み取り可能な記録媒体」とは、インターネット等のネットワークや電話回線の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持するものも含むものとする。また、上記プログラムは、前述した機能の一部を実現するものであってもよく、さらに前述した機能をコンピュータシステムに既に記録されているプログラムとの組合せで実現できるものであっても良い。
【００３６】
また、入力装置２２０は、キーボードやマウス等であり、出力装置２３０は、液晶表示装置やＣＲＴ（Cathode Ray Tube）等である。また、記憶部２１０は、参照ページ記憶部２と、条件記憶部４に相当する。通信インタフェース２４０は、ＣＰＵ２００との組合せにより、参照ページ検出部１による参照ページの検出機能を実現する。
【００３７】
以上説明のように本発明は、参照したページの識別情報を検出し、そのページの識別情報に基づいて通過ポイントとなるページの条件を満たしたか否かを判断して条件を満たしたときに抽選処理を実行することで、特定のページを参照した場合特典が付与されるため、楽しんでもらいながらページを閲覧してもらうことが可能になる。
【図面の簡単な説明】
【００３８】
【図１】本発明実施形態にかかわるＷｅｂ情報提供システムの内部構成を示すブロック図である。
【図２】本発明実施形態（パターン１）にかかわる動作を説明するために引用したフローチャートである。
【図３】本発明実施形態（パターン２）にかかわる動作を説明するために引用したフローチャートである。
【図４】本発明実施形態（パターン１）において使用される画面構成の一例を示す図である。
【図５】本発明実施形態（パターン２）において使用される画面構成の一例を示す図である。
【図６】本発明実施形態において使用されるデータベースのデータ構造の一例を示す図である。
【図７】本発明実施形態において使用される特定ページの画面構成の一例を示す図である。
【図８】本発明の他の実施形態を示すブロック図である。
【符号の説明】
【００３９】
１…参照ページ検出部、２…参照ページ記憶部、３…ページ参照履歴検出部、４…条件記憶部、５…抽選処理部
【図１】
2006285298.tif 000003
【図２】
2006285298.tif 000004
【図３】
2006285298.tif 000005
【図４】
2006285298.tif 000006
【図５】
2006285298.tif 000007
【図６】
2006285298.tif 000008
【図７】
2006285298.tif 000009
【図８】
2006285298.tif 000010